(57)【要約】【課題】酸化反応を起こす金属粉の酸化熱により水蒸気を発生させる携帯型加湿器で空間を加湿する。【解決手段】酸化反応を起こす鉄などの金属粉が含まれる発熱部金属混合粉１を水浸透性のある発熱部上部被覆部２と通気性及び通水性のある発熱部下部被覆部３で覆い、その上部に設けられた貯水タンク４に繋がる出水口６から発熱部上部被覆部２に適量の水を流入して浸透させ、吸入口７から吸入される酸素が含まれる空気が、主として発熱部下部被覆部３から発熱部金属混合粉１に入り、その発熱部金属混合粉１が酸化することにより発生する酸化熱により、発熱部上部被覆部２に浸透した水が気化し、排出口８から空間に水蒸気として放出して加湿する。発熱部下部ガイド９、発熱部側面ガイド１０は発熱部金属混合粉１に酸素が充分に行き渡るのに不可欠な空間を作る。【選択図】        図１
2006234315.tif 000002
【特許請求の範囲】
【請求項１】
空気の吸入口と水蒸気の排出口を持った外装ケースの中に、酸化反応を起こす金属粉を主体とする混合粉を通水性及び通気性のある被覆素材で覆い、その周囲が空気に触れるようにガイドによって浮かせ、空気に触れさせることにより金属粉の酸化熱を発生させ、その発熱部の上部に出水口を設けた貯水タンクから発熱部の容量に合わせて流量を調整した水を、発熱部の被覆部に流入させ、その被覆部に浸透した水を酸化熱によって気化させ、水蒸気を空間に放出することを特徴とする携帯型の空間加湿装置。
【発明の詳細な説明】
【技術分野】
【０００１】
本発明は、どこででも手軽に加湿することができる携帯型の使い捨て加湿器に関するものである。
【背景技術】
【０００２】
従来技術の加湿器は加湿能力を最大限、追求するため、超音波式又は電熱ヒーター式がほとんどである。
【０００３】
また、商品的には、自動湿度調整機能や水が無くなった時のセンサー機能など豊富な便利機能が差別化のポイントになっている。
【０００４】
しかし、そのために、構造も複雑で大きさも大きくなり、また、電源も必要となり、当然ながら携帯には不向きであり、価格も高価になっている。
【０００５】
最近、水タンク部分を市販のペットボトルに置き換えた、コンパクトタイプも市販されているが機能的には従来方式と変わらないため、価格も高く、携帯するには不十分な大きさである。
【発明の開示】
【発明が解決しようとする課題】
【０００６】
解決しようとする問題点は、従来技術による商品では水蒸気を作り出す部分が電源を使用した、複雑な構造であるため、高価で、且つ大きく、携帯には不向きな点である。
【課題を解決するための手段】
【０００７】
本発明は、水蒸気を作り出す発熱部に酸化反応を起こす金属粉、たとえば鉄粉などの酸化熱を利用することにより、小型且つ低価格で使い捨ても可能な携帯型加湿器を実現するものである。
【発明の効果】
【０００８】
本発明の携帯型加湿器は、コンパクトなので持ち運びも簡単で、また、電源のないところでも手軽に加湿することができ、旅行先の乾燥したホテルの部屋や車の中の加湿、また、乾燥した部屋の静電気や花粉症の対策にも簡単に加湿ができるという利点がある。使用する材料は鉄粉など天然資源が主な材料であり、外装なども紙などを使用することができ、環境にもよく、電源も不要なので省資源である。
【発明を実施するための最良の形態】
【０００９】
充分な空気を吸入するための吸入口と水蒸気を効率よく排出するための排出口を持った外装ケースの中に、酸化を補助するための食塩や活性炭などを混合した酸化反応を起こす金属粉、たとえば鉄粉などを、水浸透性の大きい被覆素材を上部に、通気性の大きい被覆素材を下部にした袋又はケース等で覆い、それを発熱部として周囲に通気空間を設けて設置し、その上部に出水口を設置した貯水タンクから、水を適量ずつ流入することにより、酸化を促進し、且つその酸化熱で効率よく、その水を気化させるものである。
【実施例１】
【００１０】
図１〜２は、本発明装置の１実施例の断面図である。図３〜５は１実施例の斜視図である。１は鉄粉を主体とした発熱部の金属混合粉であり、２は発熱部の上部被覆部、３は発熱部の下部被覆部、４は水を貯水するタンク、５は発熱部を保護するための外装ケース、６は水を発熱部１に適量ずつ加えるための出水口、７は発熱部に酸素を供給するための吸気口、８は水蒸気を外部に出すための排気口、９及び１０は、発熱部１と外装ケース３との間に空間を設けることにより、外装ケース５外部との熱の遮断及び、発熱部金属混合粉１に充分酸素を行き渡らせることを目的としたガイドである。また、発熱部金属混合粉１、発熱部上部被覆部２、発熱部下部被覆部３を総称して発熱部とする。
【００１１】
使用前は本発明装置は発熱部単体、又は外装ケース５、貯水タンク４などと共に真空パックされ、外気に触れないようになっている。使用直前に真空パックを解くことにより、発熱部金属混合粉１に酸素が触れ、酸化が始まる。
【００１２】
貯水タンク４に水を入れることにより、発熱部金属混合粉１の上部に設けられた、発熱部金属混合粉１の容量に合わせて出水量を調整された出水口６より水が発熱部上部被覆部２に加えられる。出水量は穴経や穴の数、フィルターなどにより調整される。
【００１３】
発熱部上部被覆部２に水が加えられると発熱部上部被覆部２に水が浸透すると共に発熱部金属混合粉１内にも水が流入し、鉄粉の酸化も促進され、酸化熱が発生する。発熱部金属混合粉１は１０〜２０分後には９０℃前後になり、発熱部上部被覆部２に浸透した水を主に気化させ、水蒸気を発生させる。
【００１４】
発熱部金属混合粉１の酸化を進行させるために、発熱部の近辺に設けられた吸気口７が空気を充分に吸気し、ガイド９、１０により発熱部の周囲に設けられた通気空間を通り、主に発熱部下部被覆部３から発熱部金属混合粉１に充分、そして連続的に酸素を供給する。
【００１５】
発熱部金属混合粉１内及び発熱部上部被覆部２で発生した水蒸気は上昇し、排気口８から空気中に放出され、加湿を行う。
【００１６】
実験結果より、発熱部金属混合粉１の容量約１００ｇで約２５ｍｌの水を気化できるので、理論上、室温２０℃の１５立方ｍの部屋の湿度を約１０％上昇させる事ができる。また、４立方ｍの普通乗用車の中なら発熱部金属混合粉１の容量約６０ｇで約２０％上昇させることができる。
【００１７】
【表１】
2006234315.tif 000003
【００１８】
実験により、発熱部上部被覆部２は浸透性の大きい素材を使用し、全体に水が染み渡るようにすることにより効果的に気化させることができ、発熱部下部被覆部３は通気性を重んじた比較的目の粗い素材を使用することにより、酸素を充分に取り込むことができ、酸化効率が上がることを発見した。
【実施例２】
【００１９】
図２は発熱部金属混合粉１を薄く分割し、その間に発熱部通気用スペーサー９を設け、空間を作ることにより、発熱部金属混合粉１が酸素に触れる面積を拡大することができ、酸化効率を上げるように工夫された実施例である。
【実施例３】
【００２０】
図３はプラスティックを主素材とした実施例である。貯水タンク４は折りたたみ可能な紙製である。図３収納図は貯水タンク４を折りたたみ、携帯に便利なようにコンパクトにした状態の実施例である。図３使用図は貯水タンク４を広げ、水を入れられるようにした使用する時の状態の実施例である。
【実施例４】
【００２１】
図４は貯水タンク４を蛇腹型にして折りたたみ可能にした実施例である。また、通気穴１３のある蓋１２を設けることにより、移動する乗用車内などでも水がこぼれないようにした実施例である。
【実施例５】
【００２２】
図５は逆カップ型にすることにより乗用車内のカップホルダーなどに置くことができるようにした実施例である。
【産業上の利用可能性】
【００２３】
商品化において、生産上、実績のある使い捨てカイロのラインがほぼ、そのまま使用できるため、特に新しい投資を必要とせず、低コストで商品を提供することができる。使い捨て加湿器という今までにない新しい市場を築くことができる。
【図面の簡単な説明】
【００２４】
【図１】携帯型加湿器の実施方法を示した説明図である。（実施例１）
【図２】携帯型加湿器の実施方法を示した説明図である。（実施例２）
【図３】携帯型加湿器の実施方法を示した説明図である。（実施例３）
【図４】携帯型加湿器の実施方法を示した説明図である。（実施例４）
【図５】携帯型加湿器の実施方法を示した説明図である。（実施例５）
【符号の説明】
【００２５】
１    発熱部金属混合粉
２    発熱部上部被覆部
３    発熱部下部被覆部  
４    貯水タンク
５    外装ケース
６    出水口
７    吸気口
８    排気口
９    発熱部下部通気用ガイド
１０  発熱部側面通気用ガイド
１１  発熱部通気用スペーサー
１２  蓋
１３  蓋通気穴
【図１】
2006234315.tif 000004
【図２】
2006234315.tif 000005
【図３】
2006234315.tif 000006
【図４】
2006234315.tif 000007
【図５】
2006234315.tif 000008